(57)【要約】【課題】グリスまたは、油潤滑の環境下で使用されるころ軸受の潤滑不良による油焼付きや早期摩耗を防止して軸受寿命の向上をはかる。【解決手段】保持器１のポケット１７を形成している支柱１５の内側に外周面の端から螺旋状に勾配を付けた油溝１５ａを配列する。これにより、ころ２１が回転すると、この油溝１５ａを通じて潤滑油が円滑に流通し、ころが油を巻き込もうとする流れが生じ、油切れすることなく、潤滑することができる。【選択図】    図１
2004316670.tif 000002
【特許請求の範囲】
【請求項１】
軸方向に離間して位置する一対の環状部と、周方向に間隔を開けて配設され、前記一対の環状部を連結する複数の支柱部からなり、隣接する支柱部間にころを回転可能に支持する複数のポケットが形成されているころ軸受用保持器において、前記支柱部の内径側の少なくともころが転がり摺接する面に潤滑油を導く油溝を該支柱部の長手方向に対して勾配を付けて形成したことを特徴とするころ軸受用保持器。
【発明の詳細な説明】
【０００１】
【発明の属する技術分野】
本発明はころ軸受用保持器に関する。より詳しくは、本発明は、グリスまたは油潤滑の環境下で使用されるころ軸受に用いられ、軸方向に離間して位置する一対の環状部と、周方向に間隔を開けて配設され、前記一対の環状部を連結する複数の支柱部からなり、隣接する支柱部間にころを回転可能に支持する複数のポケットが形成されているころ軸受用保持器に関する。
【０００２】
【従来の技術】
従来の保持器付き針状ころにあっては、保持器が合成樹脂製の円筒状をしており、周方向の複数箇所にころを収容するポケットを有している。ポケットの側面には、保持器の内径側および外径側の開口縁にころの落ち止め用の突条が設けられている。これら突条は、中間部に切欠が設けられて両端側に分割されている。（例えば、特許文献１参照）
上述したような従来の保持器付き針状ころを外部潤滑で使用する場合、遠心力の作用により、潤滑油の流れは保持器の内径側からポケット内に流入して外径側へ抜ける流れとなる。しかし、ポケットは、両端において開口縁に突条が設けられて開口幅が狭くなっているため、端部付近で潤滑油の流れが悪くなり、潤滑油の供給不足となることがある。特に、滑り摩擦となるころ端面における潤滑不足が生じ易い。また、このように両端に突条があると、潤滑油と共に細かな塵埃がポケット内に侵入した場合に、その塵埃がポケット内で停滞し易い。これらのため、十分な潤滑作用および軸受寿命を得ることが難しいという問題点がある。
【０００３】
特許文献２は潤滑油の供給不良を改善し、かつ塵埃の停滞を無くすことができて、潤滑作用および軸受寿命の向上が図れる保持器付き針状ころを提供することを目的としている。
【０００４】
特許文献２には、円筒状の樹脂製保持器に設けた周方向複数箇所の各ポケットに針状のころを収容し、各ポケットの保持器の周方向に対向する側面の内径側および外径側の開口縁にころ落ち止め用の突条を設けた保持器付き針状ころにおいて、各ポケットの側面における中間部と両端の周方向に切欠を設け、前記突条はこれら中間部と両端の切欠の間に配置し、かつ前記保持器の外径面に円周油溝を設け、この円周油溝を、前記中間部の切欠に対応する位置でかつその切欠の軸方向の幅寸法内で形成した保持器付き針状ころが開示されている。
【０００５】
この特許文献２のころ軸受用保持器では、遠心力の作用により、潤滑油は保持器の内径側から外径側へ流出するために、保持器の内径側で油切れを起こす問題があった。更に、特許文献２のころ軸受用保持器では、ポケットの側面に突条を設けているために、潤滑油中に含まれる塵挨が突条によって滞留し、軸受を早期で破損する問題があった。
【０００６】
【特許文献１】特開平５−２０２９４２号公報
【特許文献２】特許第２９１２５３２号公報
【０００７】
【発明が解決しようとする課題】
本発明は、上述した従来技術に付随する問題を解消して、グリスや潤滑油を保持器の内外に循環させることができ、ころ軸受の潤滑不良による油焼付きや早期摩耗を防止して軸受寿命を向上できるころ軸受用保持器を提供することを目的とする。
【０００８】
【課題を解決するための手段】
本発明においては、軸方向に離間して位置する一対の環状部と、周方向に間隔を開けて配設され、前記一対の環状部を連結する複数の支柱部からなり、隣接する支柱部間にころを回転可能に支持する複数のポケットが形成されているころ軸受用保持器において、前記支柱部の内径側の少なくともころが転がり摺接する面に潤滑油を導く油溝を該支柱部の長手方向に対して勾配を付けて形成したことを特徴とするころ軸受用保持器により、上述した目的を達成する。
【０００９】
本発明のころ軸受用保持器によれば、ナイロン系樹脂などの合成樹脂製または薄板状の鋼板製保持器のポケット支柱の内側（内径側）に潤滑油を導く多数の油溝を形成しており、潤滑油を確実に保持器の内外に循環させることができ、ころ軸受の潤滑不良による油焼付きや早期摩耗を防止して軸受寿命を向上することができる。
【００１０】
【発明の実施の形態】
以下、本発明の実施例を図示した図面を参照して、本発明を詳細に説明する。図１は本発明のころ軸受用保持器の一実施例の斜視図であり、図２は図１のＡ−Ａ方向に見た部分断面図、図３は図１のＢ−Ｂ方向に見た部分断面図である。図４は図２のＣ−Ｃ矢視図である。
【００１１】
図１に示す本発明のころ軸受用保持器１の一実施例はナイロン系樹脂などの合成樹脂からつくられており、一対の環状部１１、１３とその一対の環状部を連結する支柱部１５から構成されている。支柱部１５はころ軸受用保持器１の周方向に等間隔を開けて配設されており、隣接する支柱部１５、１５の間にころを回転可能に支持する複数のポケット１７が形成されている。すなわち、図２に示すように、隣接する支柱部１５、１５間のポケット１７にころ２１を回転可能に支持するようになっている。
【００１２】
図１に示す実施例においては、環状部１１、１３の部分の厚さと支柱部１５の厚さが等しくなっており、縦方向断面で見ると図３に示すように環状部１１、１３の内外周面がそれぞれ支柱部１５の内外周面に連なっている。そして支柱部１５の内径側の表面には支柱部１５の長手方向、すなわちころ軸受用保持器の軸線方向に対して一様に傾斜した多数の油溝１５ａが設けられている。従って、支柱部１５の内径側には多数の螺旋状の油溝１５ａが形成されているが、この油溝１５ａは支柱部１５の内径側と外径側との両境界間の内径側（内側）にのみ形成され、保持器１の外径側（外側）には形成されていない。このため、油溝１５ａは内径側にしか存在しないので、厳密には油溝１５ａは螺旋ではなく、螺旋の一部である。この構成によりころ２１が隣合う支柱部１５間のポケット１７において回転し、この回転によりころ２１が潤滑油を巻込み、この際に支柱部１５に形成された多数の油溝１５ａによって潤滑油は潤滑に流れ、保持器１が油切れすることがなく、油焼付きや早期摩耗が防止される。
【００１３】
本発明のころ軸受用保持器１は、グリスまたは油潤滑の環境で使用されるころ軸受に適している。また、各支柱部１５の内径側の少なくともころが転がり摺接する面に形成される油溝１５ａは同一方向に傾斜していることによって油が円滑に流れることを許容するものである。
【００１４】
なお、上述した実施例においては、支柱部１５に形成する油溝１５ａを内径側全面に設けていたが、図５に示すように、支柱部１５の内径側の一部（ころ２１の回転時に進み側となる箇所）に支柱部１５の長手方向に伸びる油溜まり１５ｂを多数の油溝１５ａを連結するようにして形成してもよい。すなわち、支柱部１５の内径側における、ころが少なくとも転がり摺接する面に油溝１５ａ形成されていればよい。このようにしても、潤滑油はころ２１の回転につれて、油溝１５ａから油溜まり１５ｂに送られ、円滑に循環する。
【００１５】
別の実施例を図６および図７に示している。この実施例においては、環状部１１、１３の高さを支柱部１５の厚さよりも厚くしている。これにより、図７に示すように、ころ２１の回転時にころ２１の長手方向端面を環状部１１、１３によって案内して、ころ２１が外に飛出すことを一層防止することができる。
【００１６】
【発明の効果】
本発明においては、ころ軸受用保持器の支柱部の内径側の少なくともころが転がり摺接する面に保持器の長手方向に対して一様に傾斜した油溝を設けており、これによりころが回転すると、ころが油溝を通じて潤滑油を円滑にに巻込むことにより、保持器が油切れをすることなく、油焼付きや早期摩耗を防止することができる。
【図面の簡単な説明】
【図１】本発明のころ軸受用保持器の一実施例の斜視図である。
【図２】図１のＡ−Ａ方向に見た部分断面図である。
【図３】図１のＢ−Ｂ方向に見た部分断面図である。
【図４】図２のＣ−Ｃ矢視図である。
【図５】他の実施例の図４に対応する矢視図である。
【図６】ころ軸受用保持器の更に他の実施例の図２に対応する部分断面図である。
【図７】図６のころ軸受用保持器の図３に対応する部分断面図である。
【符号の説明】
１  ころ軸受用保持器
１１  環状部
１３  環状部
１５  支柱部
１５ａ  油溝
１７  ポケット
２１  ころ
【図１】
2004316670.tif 000003
【図２】
2004316670.tif 000004
【図３】
2004316670.tif 000005
【図４】
2004316670.tif 000006
【図５】
2004316670.tif 000007
【図６】
2004316670.tif 000008
【図７】
2004316670.tif 000009